(57)【特許請求の範囲】
【請求項１】
記録メディア再生装置のスロット部における開閉ドアを、上記スロット部の開口内側で開閉自在に支持するための、記録メディア再生装置のスロット部における開閉ドア支持装置であって、
上記スロット部の開口を形成する外装体から内側に向けて形成され、上記開口の両サイド上部付近に位置する突起部と、
上記突起部に相対してその下部に差し向けられるとともに、上記開閉ドアの上端部を軸支するための先端支持部と、この先端支持部より内側に延びて上記スロット部の両サイド奥方に位置する基端部とをそれぞれ有し、これら先端支持部から基端部に至るまでの中間支点を揺動中心として支持される一対の腕状部材と、上記一対の腕状部材それぞれにおける上記基端部を下方に向けて弾性的に付勢する弾性部材と、
を有することを特徴とする、記録メディア再生装置のスロット部における開閉ドア支持装置。
【請求項２】
上記一対の腕状部材それぞれにおける上記先端支持部には、上記突起部に相対して斜めに突き当たるようにテーパ面が形成されている、請求項１に記載の記録メディア再生装置のスロット部における開閉ドア支持装置。
【請求項３】
上記一対の腕状部材それぞれは、上記先端支持部のテーパ面が上記突起部より上方に跳ね上がらないように、別部材に設けられた回転止め部により抑え止められる、請求項２に記載の記録メディア再生装置のスロット部における開閉ドア支持装置。
【発明の詳細な説明】
【０００１】
【発明の属する技術分野】
本発明は、たとえばＭＤディスクに記録された楽曲などを再生するオーディオ装置において、ＭＤディスクを出し入れするスロット部の開口内側で開閉ドアを開閉自在に支持するための、記録メディア再生装置のスロット部における開閉ドア支持装置に関する。
【０００２】
【従来の技術】
従来、たとえばＭＤディスクに記録された楽曲を再生するオーディオ装置では、図５に示すように、ＭＤディスクＡを出し入れするスロット部Ｓ１０の開口２０内側に開閉ドア３０を設けている。この開閉ドア３０は、ＭＤディスクＡを開口２０に挿入しない状態では、破線で示すように、開口２０を塞いで閉じた状態とされ、ＭＤディスクＡを開口２０より内側に差し込んでいくと、２点鎖線で示すように、次第に持ち上げられて開いた状態となる。一方、ＭＤディスクＡを開口２０から排出する際には、全体を図示しない内部メカニズムのローディング動作により、符号４０で示す開閉アームが２点鎖線で示す位置から破線の位置へと移動し、ＭＤディスクＡが開口２０から完全に抜き去られると、開閉ドア３０が再び開口２０を塞ぐ姿勢となる。
【０００３】
このような開閉ドア３０は、上端部３０Ａを支点に開閉自在とされ、その上端部３０Ａは、スロット部Ｓ１０の両サイドに位置して内部メカニズムなどと一体化された一対のサイドステー５０に支持されている。
【０００４】
ところで、スロット部Ｓ１０の開口２０を形成するパネルカバー６０と、内部メカニズムなどと一体化されたサイドステー５０とは、互いに独立した部品として構成されている。そのため、パネルカバー６０は、たとえばサイドステー５０に開閉ドア３０を組み付け、内部メカニズムを定位置に固定した後、開口２０を開閉ドア３０に対面させるようにして取り付けられる。
【０００５】
また、開閉ドア３０の前面３０Ｂには、文字などが開口２０の外側から見えるように付されることが多く、その点、開口２０と開閉ドア３０との相対的な位置関係が重要とされる。
【０００６】
【発明が解決しようとする課題】
ところが、この種のオーディオ装置を製造する過程では、サイドステー５０の加工寸法精度、パネルカバー６０における開口２０の加工位置精度、さらにはこれらサイドステー５０およびパネルカバー６０の取り付け位置精度にある程度の許容誤差が含まれる。つまり、ある程度のばらつきをもってサイドステー５０とパネルカバー６０とが互いに独立して製作され、取り付けられるので、これらサイドステー５０およびパネルカバー６０のそれぞれに設けられた開閉ドア３０と開口２０との相対的な位置関係が正しく整合しない場合があった。
【０００７】
そうした場合、たとえば開口２０の外側から開閉ドア３０の前面３０Ｂに付された文字などが傾いて見え、見栄えが悪いために商品価値がなくなるという問題があった。また、極端な場合、ＭＤディスクＡの出し入れに支障をきたす恐れもあった。
【０００８】
本発明は、上記した事情のもとで考え出されたものであって、製造過程で部品の加工や取り付け精度などを高める必要もなく、開口と開閉ドアとの相対的位置関係を正しく整合させることができる、記録メディア再生装置のスロット部における開閉ドア支持装置を提供することを、その課題とする。
【０００９】
【発明の開示】
上記の課題を解決するため、本発明では、次の技術的手段を講じている。
【００１０】
すなわち、本発明によれば、記録メディア再生装置のスロット部における開閉ドアを、スロット部の開口内側で開閉自在に支持するための、記録メディア再生装置のスロット部における開閉ドア支持装置であって、スロット部の開口を形成する外装体から内側に向けて形成され、開口の両サイド上部付近に位置する突起部と、突起部に相対してその下部に差し向けられるとともに、開閉ドアの上端部を軸支するための先端支持部と、この先端支持部より内側に延びてスロット部の両サイド奥方に位置する基端部とをそれぞれ有し、これら先端支持部から基端部に至るまでの中間支点を揺動中心として支持される一対の腕状部材と、一対の腕状部材それぞれにおける基端部を下方に向けて弾性的に付勢する弾性部材とを有することを特徴とする、記録メディア再生装置のスロット部における開閉ドア支持装置が提供される。
【００１１】
好ましい実施の形態によれば、一対の腕状部材それぞれにおける先端支持部には、突起部に相対して斜めに突き当たるようにテーパ面が形成されている。
【００１２】
他の好ましい実施の形態によれば、一対の腕状部材それぞれは、先端支持部のテーパ面が突起部より上方に跳ね上がらないように、別部材に設けられた回転止め部により抑え止められる。
【００１３】
本発明によれば、たとえば外装体を先に取り付けた後、一対の腕状部材の先端支持部を外装体の内側から突起部の下部に対し、弾性付勢力に抗して押し込むようにして固定できるので、開閉ドアを支持する腕状部材の先端支持部を開口に対して正確に位置合わせすることができる。その結果、開閉ドアも開口に対して正確に位置合わせされ、製造過程で部品の加工や取り付け精度などを高める必要もなく、開口と開閉ドアとの相対的位置関係を正しく整合させて見栄え良くすることができる。
【００１４】
ここで、腕状部材の先端支持部にテーパ面を形成しておくことにより、そのテーパ面を突起部に突き当てながら、先端支持部を突起部の下部に差し込むようにして簡単に固定することができる。また、先端支持部のテーパ面が突起部より上方に跳ね上がらないように、別部材に設けられた回転止め部で腕状部材を抑え止めておくことにより、そのまま先端支持部を突起部に向けて押し込むだけで、先端支持部を突起部の下部に簡単に固定することができる。
【００１５】
本発明のその他の特徴および利点は、添付図面を参照して以下に行う発明の実施の形態の説明によって、より明らかになるであろう。
【００１６】
【発明の実施の形態】
以下、本発明の好ましい実施の形態を、図面を参照して具体的に説明する。
【００１７】
図１は、本発明に係る開閉ドア支持装置を採用した記録メディア再生装置の一実施形態として、ＭＤディスク用のオーディオ装置のスロット部を示す外観図、図２は、図１に示すスロット部の内部構造側面を示す側面図、図３は、図１に示すスロット部の内部構造上面を示す平面図である。
【００１８】
図１に示すように、本実施形態では、記録メディア再生装置として、ＭＤディスクＡに記録された楽曲を再生できるオーディオ装置Ｂが用いられ、このオーディオ装置Ｂにおいて、ＭＤディスクＡを出し入れするスロット部Ｓ１の開口２内側に開閉ドア３を設けている。スロット部Ｓ１の開口２は、外装体として前面を構成するパネルカバー６に形成される。開閉ドア３は、ＭＤディスクＡが開口２に挿入されない状態では、その開口２を塞いで閉じた状態とされる。なお、本実施形態では、スロット部Ｓ１の開口２を水平方向に沿った横置き姿勢とするが、オーディオ装置Ｂの置き方によっては、開口２を鉛直方向に沿った縦置き姿勢としても良い。
【００１９】
スロット部Ｓ１の内部構造について見ると、図２，図３に示すように、開閉ドア３を支持する構造として、一対のサイドステー５，５、パネルカバー６の内側に形成された突起部６Ａ，６Ａ、一対のブラケット７，７、板バネ８，８、および各ブラケット７，７を抑え止めるための回転止め部としてダボ９，９を有する。なお、開閉ドア３は、内部メカニズムのローディング動作により開閉アームを介して開閉されるが、この開閉アームは、従来と同様であることからその図示説明を省略する。
【００２０】
スロット部Ｓ１の開口２は、ＭＤディスクＡの形状に応じて細長いかたちにパネルカバー６をくり抜くようにして形成されている。このパネルカバー６の内側には、開口２の両サイド上部付近に並んで突起部６Ａ，６Ａが一体形成されている。両サイドの突起部６Ａ，６Ａは、基準水平線からの高さが互いに一致するように形成され、水平姿勢を保ちつつ内側に向けて真っ直ぐ突き出た形状とされている。
【００２１】
開閉ドア３は、開口２よりもやや大きめの細長い長矩形状に形成され、上端部３Ａを支点に開閉自在とされる一方、開口２に面してその内側近傍に配置される。このような開閉ドア３の前面には、特に図示しないが開口２の外側から視認可能に文字などが付されている。
【００２２】
一対のサイドステー５，５は、図示しない内部メカニズムなどと一体化され、開口２の内側両サイド付近に直立した状態で固定される。各サイドステー５の所定箇所には、後述する突起状のダボ９が設けられており、また、別の箇所には、後述するブラケット７を支持するための軸孔５Ａが設けられている。
【００２３】
一対のブラケット７，７は、開閉ドア３を直接支持する腕状部材として用いられるものであって、それぞれがサイドステー５，５に平行して設けられる。各ブラケット７の先端支持部７Ａには、開閉ドア３の上端部３Ａが回転自在に支持される。この先端支持部７Ａは、パネルカバー６内側の突起部６Ａに相対して差し向けられ、完成した状態では、突起部６Ａの下部に差し込まれた状態で固定される。また、先端支持部７Ａには、図２に良く示すように、突起部６Ａに相対して斜めに突き当たる形状のテーパ面７Ａａが形成されており、先端支持部７Ａが突起部６Ａの下部に差し込まれる直前の２点鎖線で示す状態では、テーパ面７Ａａが突起部６Ａに対して斜めに当たることで差し込みやすくされている。
【００２４】
一方、ブラケット７の基端部７Ｂは、先端支持部７Ａより内側に延びてスロット部Ｓ１の両サイド奥方に配置される。この基端部７Ｂは、後述する弾性部材としての板バネ８により常に下方に向けて弾性的に付勢されている。このような構成を有するブラケット７は、先端支持部７Ａから基端部７Ｂに至るまでの中間支点７Ｃを中心として揺動するように、サイドステー５の軸孔５Ａを介して支持されている。つまり、ブラケット７の中間支点７Ｃから先端支持部７Ａまでの部分は、基端部７Ｂに作用する弾性付勢力の反作用により上方に跳ね上がろうとするが、サイドステー５に設けられたダボ９に突き当たることで抑え止められる。なお、ブラケット７の中間支点７Ｃから先端支持部７Ａまでの部分は、図２に良く示すように完成した状態では、ダボ９に突き当たることなくそれより下方に位置するが、先端支持部７Ａが突起部６Ａの下部に差し込まれる直前の２点鎖線で示す状態では、ダボ９に突き当たってテーパ面７Ａａがちょうど突起部６Ａに相対する姿勢とされる。
【００２５】
板バネ８は、サイドステー５と同様に内部メカニズムなどと一体化された図示しない別部材に固定されており、各ブラケット７における基端部７Ｂの上部に接するように配置される。
【００２６】
次に、開閉ドア３を開口２の内側に取り付ける際の動作について、図４を参照しつつ説明する。なお、開閉ドア３は、既に一対のブラケット７，７に取り付けられた状態にあり、一対のブラケット７，７およびサイドステー５，５なども、内部メカニズムなどと既に一体化された状態にある。
【００２７】
図４に示すように、取り付け工程においては、先にパネルカバー６が取り付けられ、このパネルカバー６内側の定位置に内部メカニズムが固定される。この際、各ブラケット７の先端支持部７Ａは、パネルカバー６の内側に突き出た突起部６Ａに差し向けられ、テーパ面７Ａａが突起部６Ａに対して斜めに突き当てられる。
【００２８】
この際、先端支持部７Ａは、突起部６Ａに差し向けて次第に押し込められるが、先端支持部７Ａのテーパ面７Ａａが突起部６Ａに斜めに突き当たる結果、突起部６Ａの下部へと簡単に先端支持部７Ａが押し込められる。なお、内部メカニズムなどを先に定位置に固定し、その後、パネルカバー６を取り付ける手順としても良く、その際の各部品の動作も同様となる。
【００２９】
最終的に、内部メカニズムを固定して完成した状態では、再び図２に示すように、各ブラケット７の先端支持部７Ａが突起部６Ａの下部に接して固定された状態とされ、先端支持部７Ａの基準水平線からの高さが突起部６Ａによって規制される。つまり、突起部６Ａと開口２との相対的位置関係が正しく保たれている限り、先端支持部７Ａが開口２に対して正しく位置合わせされ、この先端支持部７Ａに上端部３Ａを支持された開閉ドア３も開口２に対する相対的位置関係が正しく整合した状態とされる。具体的に、開閉ドア３が開口２の内側を塞ぐ状態では、開口２の縦横に沿って開閉ドア３の縦横が正しく平行するように位置した状態とされる。
【００３０】
ここで、突起部６Ａと開口２とは、一般にパネルカバー６を製作する際に形成され、互いに別部品に形成されるものではないことから、相対的な位置関係が極めて整合性の良い関係と言える。これにより、開口２に対して開閉ドア３が相対的に正しい位置関係に保たれる。
【００３１】
したがって、上記のように構成された開閉ドア３の支持装置によれば、各部品の精度がそれほど良くなくても、開口２と同じくパネルカバー６に一体形成された突起部６Ａや、ブラケット７などを組み合わせることにより、開閉ドア３を開口２に対して正確に位置合わせすることができる。すなわち、製造過程で各部品ごとに加工や取り付け精度などを高める必要もなく、開口２と開閉ドア３との相対的位置関係を正しく整合させて見栄え良くすることができ、この種のオーディオ装置Ｂとして商品価値を高めることができる。
【００３２】
なお、本発明は、上記の実施形態に限定されるものではない。
【００３３】
たとえば、記録メディア再生装置としては、ＭＤディスク用のオーディオ装置に限らず、カセットテープ用のテープデッキ装置や、ＣＤディスク用のＣＤプレーヤ装置であっても良い。さらに広く言えば、音楽用に限らず、パーソナルコンピュータ用のフロッピーディスクやＣＤ−ＲＯＭ、あるいはＤＶＤなどに記録されたデータを読み出すディスクドライブ装置であっても良い。
【００３４】
突起部６Ａは、パネルカバー６の一部として一体形成されるのが好ましいが、開口２に対して相対的な位置関係が正しく保たれるのであれば、別部品としてパネルカバー６の内側に固定されたものでも良い。また、両サイドに位置する突起部６Ａは、互いに独立したものに限らず、開口２に平行しつつその両サイド上部にわたって真っ直ぐ延びた形状としても良い。
【００３５】
一対のブラケット７，７は、互いに独立した部品に限らず、一体化されたものであっても良い。
【００３６】
弾性部材としては、板バネ８を用いたが、その他の例としては、コイルバネなどでも良く、常に弾性付勢力を与えることができるものであれば良い。
【図面の簡単な説明】
【図１】本発明に係る開閉ドア支持装置を採用した記録メディア再生装置の一実施形態として、ＭＤディスク用のオーディオ装置のスロット部を示す外観図である。
【図２】図１に示すスロット部の内部構造側面を示す側面図である。
【図３】図１に示すスロット部の内部構造上面を示す平面図である。
【図４】開閉ドアを開口の内側に取り付ける際の動作を説明するための説明図である。
【図５】従来のＭＤディスク用オーディオ装置におけるスロット部の内部構造側面を示す側面図である。
【符号の説明】
２      開口
３      開閉ドア
３Ａ    上端部
５      サイドステー
６      パネルカバー（外装体）
６Ａ    突起部
７      ブラケット（腕状部材）
７Ａ    先端支持部
７Ａａ  テーパ面
７Ｂ    基端部
７Ｃ    中間支点
８      板バネ（弾性部材）
９      ダボ（回転止め部）
Ａ      ＭＤディスク
Ｂ      オーディオ装置（記録メディア再生装置）
Ｓ１    スロット部
【図１】
0003788213.tif 000002
【図２】
0003788213.tif 000003
【図３】
0003788213.tif 000004
【図４】
0003788213.tif 000005
【図５】
0003788213.tif 000006